Podtech/llm-jp-corpus-v4-ja_patent huggingface dataset:
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
単一の（Ｅ）−７−ヒドロキシ−４−オキソ−ヘプタ−２−エン酸を含むラクトン環を含む、化合物。
【請求項２】
前記環状構造が、置換されていないか、又はハロゲン、アルキル、アルケニル、アルキニル、アリール、アミノ、ヒドロキシル、アルコキシ、アシル、アシルオキシ、カルバモイル、シアノ、及びニトロから選択された１つ若しくは複数の置換基で置換された、請求項１に記載の化合物。
【請求項３】
（Ｅ）−７−ヒドロキシ−４−オキソ−オクタ−２−エン酸ラクトンである、請求項１又は２に記載の化合物。
【請求項４】
請求項１〜３のいずれか一項に記載の化合物及び薬学的に許容される担体を含む、医薬組成物。
【請求項５】
薬剤として使用するための請求項１〜３のいずれか一項に記載の化合物又は請求項４に記載の組成物。
【請求項６】
微生物感染の処置に使用するための請求項１〜３のいずれか一項に記載の化合物又は請求項４に記載の組成物。
【請求項７】
前記微生物感染が細菌感染である、請求項６に記載の使用のための化合物又は組成物。
【請求項８】
前記細菌感染が多剤耐性細菌による感染である、請求項７に記載の使用のための化合物又は組成物。
【請求項９】
前記細菌感染がグラム陽性菌による感染である、請求項７又は８に記載の使用のための化合物若しくは組成物。
【請求項１０】
前記グラム陽性菌がメチシリン耐性ブドウ球菌（Ｓｔａｐｈｙｌｏｃｏｃｃｕｓ）、好ましくはメチシリン耐性黄色ブドウ球菌（Ｓｔａｐｈｙｌｏｃｏｃｃｕｓ  ａｕｒｅｕｓ）である、請求項９に記載の使用のための化合物又は組成物。
【請求項１１】
ａ）真菌ファミリープレオスポラ科（Ｐｌｅｏｓｐｏｒａｃｅａｅ）、好ましくはウロクラジウム（Ｕｌｏｃｌａｄｉｕｍ）属の真菌を前記化合物の産生を助長する培地で培養するステップと、ｂ）任意選択で、前記化合物を回収するステップとを含む、請求項１〜３のいずれか一項に記載の化合物を産生する方法。
【請求項１２】
前記真菌が３０℃未満の温度で培養され、及び／又は前記化合物が溶媒抽出により回収されて、好ましくは前記溶媒が酢酸エチルである、請求項１１に記載の方法。
【請求項１３】
美容用途で、又は消毒剤として使用するための、請求項１〜３のいずれか一項に記載の化合物を含む組成物。
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
最大耐用量スタチン治療によって十分に制御されないヘテロ接合性家族性高コレステロール血症（ｈｅＦＨ）を有する患者の処置において使用するための、プロタンパク質転換酵素スブチリシン／ケキシン９型（ＰＣＳＫ９）阻害剤を含む医薬組成物。
【請求項２】
患者は、最大耐用量スタチン治療にもかかわらず、１６０ｍｇ／ｄＬ以上の低密度リポタンパク質コレステロール（ＬＤＬ−Ｃ）レベルを有する、請求項１に記載の医薬組成物。
【請求項３】
ｈｅＦＨの診断は、遺伝子型判定または臨床基準のいずれかによって行われ、臨床基準は、ヘテロ接合性家族性高コレステロール血症についてのサイモン・ブルーム登録者診断基準、またはスコア＞８のＷＨＯ／Ｄｕｔｃｈ  Ｌｉｐｉｄ  Ｎｅｔｗｏｒｋ基準のいずれかである、請求項２に記載の医薬組成物。
【請求項４】
ＰＣＳＫ９阻害剤は、ヒトＰＣＳＫ９に特異的に結合する抗体またはその抗原結合断片である、請求項１〜３のいずれか１項に記載の医薬組成物。
【請求項５】
抗体またはその抗原結合断片は、配列番号１／６および１１／１５からなる群から選択される重鎖可変領域／軽鎖可変領域（ＨＣＶＲ／ＬＣＶＲ）アミノ酸配列対の重鎖および軽鎖相補性決定領域（ＣＤＲ）を含む、請求項４に記載の医薬組成物。
【請求項６】
抗体またはその抗原結合断片は、配列番号１２、１３、１４、１６、１７および１８；または配列番号２、３、４、７、８および１０を有する重鎖および軽鎖ＣＤＲアミノ酸配列を含む、請求項５に記載の医薬組成物。
【請求項７】
抗体またはその抗原結合断片は、配列番号１１および１５；または配列番号１および６
のアミノ酸配列を、それぞれ有するＨＣＶＲおよびＬＣＶＲを含む、請求項６に記載の医薬組成物。
【請求項８】
ＰＣＳＫ９に特異的に結合する抗体またはその抗原結合断片は、約７５ｍｇの用量で、２週間に１回の頻度で患者に投与される、請求項４〜７のいずれか１項に記載の医薬組成物。
【請求項９】
抗体またはその抗原結合断片の７５ｍｇの２用量またはそれ以上の初回用量が約２週間毎に患者に投与され、そして
（ａ）ＬＤＬ−Ｃレベルが閾値より低い場合には、抗体またはその抗原結合断片の７５ｍｇの１用量またはそれ以上のさらなる用量が約２週間毎に患者に投与され、または
（ｂ）ＬＤＬ−Ｃレベルが閾値より高いか等しい場合には、抗体またはその抗原結合断片の１５０ｍｇの１用量またはそれ以上のさらなる用量が約２週間毎に患者に投与される、請求項４〜８のいずれか１項に記載の医薬組成物。
【請求項１０】
閾値は、７０ｍｇ／ｄＬである、請求項９に記載の医薬組成物。
【請求項１１】
ＰＣＳＫ９に特異的に結合する抗体またはその抗原結合タンパク質は、約１５０ｍｇの用量で２週間に１回の頻度で患者に投与される、請求項４〜８のいずれか１項に記載の医薬組成物。
【請求項１２】
ＰＣＳＫ９阻害剤は、最大耐用量スタチン治療と併用して患者に投与される、請求項１〜１１のいずれか１項に記載の医薬組成物。
【請求項１３】
ＰＣＳＫ９阻害剤は、少なくとも１つの他の脂質低下治療とさらに組み合わせて患者に投与される、請求項１２に記載の医薬組成物。
【請求項１４】
最大耐用量スタチン治療は、アトルバスタチン約４０ｍｇ〜約８０ｍｇの１日用量、ロスバスタチン約２０ｍｇ〜約４０ｍｇの１日用量、またはシンバスタチン約８０ｍｇの１日用量を含む、請求項１２に記載の医薬組成物。
【請求項１５】
患者は、糖尿病、高血圧症、心筋梗塞および虚血性脳卒中からなる群から選択される１つまたはそれ以上の適応症を有する、請求項１〜１４のいずれか１項に記載の医薬組成物。
【請求項１６】
患者は、ＩＩ型糖尿病を有する、請求項１５に記載の医薬組成物。
【請求項１７】
ＰＣＳＫ９阻害剤は、
（ａ）患者の低密度リポタンパク質コレステロール（ＬＤＬ−Ｃ）の少なくとも４０％の低減；
（ｂ）患者のアポリポタンパク質Ｂ（アポＢ）の少なくとも３０％の低減；
（ｃ）患者の非高密度リポプロタンパク質コレステロール（非ＨＤＬ−Ｃ）の少なくとも４０％の低減；
（ｄ）患者の総コレステロールの少なくとも２０％の低減；
（ｅ）患者の高密度リポタンパク質コレステロール（ＨＤＬ−Ｃ）の少なくとも３％の増大；
（ｆ）患者のトリグリセリドの少なくとも５％の低減；
（ｇ）患者のリポタンパク質ａ（Ｌｐ（ａ））の少なくとも２０％の低減；および
（ｈ）患者のアポリポタンパク質Ａ−１の少なくとも１％の増大
からなる群から選択される少なくとも１つの高コレステロール血症関連パラメータを改善する、請求項１〜１６のいずれか１項に記載の医薬組成物。
【請求項１８】
最大耐用量スタチン治療によって十分に制御されないヘテロ接合性家族性高コレステロール血症（ｈｅＦＨ）を有する患者の処置において使用するための、ヒトプロタンパク質転換酵素スブチリシン／ケキシン９型（ＰＣＳＫ９）に特異的に結合する抗体またはその抗原結合断片を含む医薬組成物であって、
抗体またはその抗原結合断片は、配列番号１に記載のＨＣＶＲアミノ酸配列および配列番号６に記載のＬＣＶＲアミノ酸配列を含み、そして抗体またはその抗原結合断片の７５ｍｇの２用量またはそれ以上の初回用量が約２週間毎に患者に投与され、そして
（ａ）ＬＤＬ−Ｃレベルが閾値より低い場合には、抗体またはその抗原結合断片の７５ｍｇの１用量またはそれ以上のさらなる用量が約２週間毎に患者に投与され、または
（ｂ）ＬＤＬ−Ｃレベルが閾値より高いか等しい場合には、抗体またはその抗原結合断片の１５０ｍｇの１用量またはそれ以上のさらなる用量が約２週間毎に患者に投与される、前記医薬組成物。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
式(I):
A-B-C(I)
(式中、
Aは、ヒト血清アルブミン又はその機能的変異体であり、
Bは、ペプチドリンカーであり、ペプチドリンカーは、10から50アミノ酸長であり、アミノ酸配列[X-Ym]nを含み、式中、XはAsp又はGluであり、YはAlaであり、mは2から4であり、nは少なくとも2であり、
Cは、MIC-1タンパク質又はその類似体であり、
ヒト血清アルブミン又はその機能的変異体のC末端がペプチドリンカーのN末端に融合されており、ペプチドリンカーのC末端がMIC-1タンパク質又はその類似体のN末端に融合されている)
の融合タンパク質を含む化合物。
【請求項２】
2つのMIC-1タンパク質又はその類似体の間の鎖間ジスルフィド架橋により形成される、式(I):
A-B-C(I)
の2つの融合タンパク質のホモ二量体である、請求項1に記載の化合物。
【請求項３】
ペプチドリンカーが10から35アミノ酸長である、請求項1又は2に記載の化合物。
【請求項４】
ペプチドリンカーがアミノ酸配列[X-Ym]nXを含み、式中、XはAsp又はGluであり、YはAlaであり、mは2から4であり、nは少なくとも2である、請求項1から3のいずれか一項に記載の化合物。
【請求項５】
XがAspである、請求項1から4のいずれか一項に記載の化合物。
【請求項６】
XがGluである、請求項1から4のいずれか一項に記載の化合物。
【請求項７】
mが2であり、nが2、4又は6である、請求項1から6のいずれか一項に記載の化合物。
【請求項８】
Cが、天然のMIC-1(配列番号1)に少なくとも85%配列同一性を示すMIC-1の類似体である、請求項1から7のいずれか一項に記載の化合物。
【請求項９】
Aが、配列番号2の野生型ヒト血清アルブミンに少なくとも85%配列同一性を示すヒト血清アルブミンの類似体である、請求項1から8のいずれか一項に記載の化合物。
【請求項１０】
融合パートナーを更に含む、請求項1から9のいずれか一項に記載の化合物。
【請求項１１】
前記化合物がMIC-1アゴニストである、請求項1から10のいずれか一項に記載の化合物。
【請求項１２】
Aが配列番号2のヒト血清アルブミンタンパク質であり、Bが配列番号9のペプチドリンカーであり、Cが配列番号1の天然ヒトMIC-1である、
Aが配列番号23のヒト血清アルブミンタンパク質であり、Bが配列番号9のペプチドリンカーであり、Cが配列番号1の天然ヒトMIC-1である、
Aが配列番号23のヒト血清アルブミンタンパク質であり、Bが配列番号9のペプチドリンカーであり、Cが配列番号14のMIC-1変異体である、
Aが配列番号23のヒト血清アルブミンタンパク質であり、Bが配列番号9のペプチドリンカーであり、Cが配列番号15のMIC-1変異体である、
から選択される、式(I):
A-B-C(I)
の融合タンパク質からなる、請求項1に記載の化合物。
【請求項１３】
請求項1から12のいずれか一項に記載の化合物又はその薬学的に許容される塩、アミド若しくはエステル及び1つ又は複数の薬学的に許容される賦形剤を含む医薬組成物。
【請求項１４】
医薬として使用するための、請求項1から12のいずれか一項に記載の化合物を含む組成物。
【請求項１５】
食物摂取量を減らし、体重を減少させ、食欲を抑制し、満腹を誘導することによる、摂食障害の予防及び/又は処置において使用するための、請求項1から12のいずれか一項に記載の化合物を含む組成物。
【請求項１６】
摂食障害が肥満である、請求項15に記載の組成物。
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
車両ネットワーク内の車両において第１のデータパケットを受信することと、
前記車両と前記第１のデータパケットの行先との間の第１の距離を決定することと、
前記第１のデータパケットのソースと前記第１のデータパケットの前記行先との間の第２の距離を決定することと、を備え、
前記第１の距離と前記第２の距離との間の第１の比を決定することと、
前記第１の比がしきい比値を超えるかどうかに少なくとも部分的に基づいて前記第１のデータパケットを削除することと、を特徴とする、ワイヤレス通信の方法。
【請求項２】
前記第１の距離を決定することは、
前記車両と前記第１のデータパケットの前記行先との間の現在のルートを決定することを備え、および、
前記第２の距離を決定することは、
前記第１のデータパケットの前記ソースと前記第１のデータパケットの前記行先との間の原ルートを決定することを備える、
請求項１に記載の方法。
【請求項３】
前記現在のルートおよび前記原ルートは、距離と関連される、
請求項２に記載の方法。
【請求項４】
前記現在のルートおよび前記原ルートは、時間と関連される、
請求項２に記載の方法。
【請求項５】
前記第１のデータパケットの複製が前記車両によって以前に受信された場合に前記第１のデータパケットを削除することをさらに備える、
請求項１に記載の方法。
【請求項６】
前記第１のデータパケットが前記第１のデータパケットによって示される時間切れ時間よりも古い場合に前記第１のデータパケットを削除することをさらに備える、
請求項１に記載の方法。
【請求項７】
前記車両の利用可能な記憶域がしきい記憶域値を下回るときに以前に受信されたデータパケットに関する第２の比を決定すること、前記第２の比は、前記車両と以前に受信されたデータパケット行先との間の第３の距離および以前に受信されたデータパケットソースと前記以前に受信されたデータパケット行先との間の第４の距離の比である、と、
前記第１の比および前記第２の比の比較に少なくとも部分的に基づいて前記第１のデータパケットまたは前記以前に受信されたデータパケットのうちの１つを削除することと、をさらに備える、
請求項１に記載の方法。
【請求項８】
前記第１のデータパケットまたは前記以前に受信されたデータパケットのうちの１つを削除することは、
前記第１の比および前記第２の比のうちのいずれがより高いかを決定することと、
前記第１の比および前記第２の比のうちの前記より高い方に対応する前記第１のデータパケットまたは前記以前に受信されたデータパケットのうちのいずれかを削除することと、を備える、
請求項７に記載の方法。
【請求項９】
前記車両に関する記憶域内のデータパケット格納時間の比較に基づいて前記第１のデータパケットまたは第２の受信されたデータパケットのうちの１つを削除することをさらに備える、
請求項１に記載の方法。
【請求項１０】
前記第１のデータパケットが受信されたときに前記第１の比を決定することをさらに備える、
請求項１に記載の方法。
【請求項１１】
前記第１のデータパケットが受信された後に周期的に前記第１の比を決定することをさらに備える、
請求項１に記載の方法。
【請求項１２】
前記第１のデータパケットは、格納、削除または転送され得る、
請求項１に記載の方法。
【請求項１３】
前記しきい比値は、１よりも大きい、
請求項１に記載の方法。
【請求項１４】
ワイヤレス通信のための装置であって、
車両ネットワーク内の車両において第１のデータパケットを受信するための手段と、
前記車両と前記第１のデータパケットの行先との間の第１の距離を決定するための手段と、
前記第１のデータパケットのソースと前記第１のデータパケットの前記行先との間の第２の距離を決定するための手段と、
前記第１の距離と前記第２の距離との間の第１の比を決定するための手段と、
前記第１の比がしきい比値を超えるかどうかに少なくとも部分的に基づいて前記第１のデータパケットを削除するための手段と、を備える、ワイヤレス通信のための装置。
【請求項１５】
ワイヤレス通信のためのコンピュータによって実行可能なコードを格納した非一時的なコンピュータ可読媒体であって、前記コードは、
車両ネットワーク内の車両において第１のデータパケットを受信し、
前記車両と前記第１のデータパケットの行先との間の第１の距離を決定し、
前記第１のデータパケットのソースと前記第１のデータパケットの前記行先との間の第２の距離を決定し、
前記第１の距離と前記第２の距離との間の第１の比を決定し、および、
前記第１の比がしきい比値を超えるかどうかに少なくとも部分的に基づいて前記第１のデータパケットを削除するためにプロセッサによって実行可能である、非一時的なコンピュータ可読媒体。
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
波高率低減（ＣＦＲ）のためのシステムであって、
入力信号（ｘｋ）を受信するように構成されたピーク検出器と、
ウィンドウ利得（Ｇｋ）およびフィルタ長さに基づいてスケーリングファクタを生成するように構成された最大実行フィルタであって、前記ウィンドウ利得（Ｇｋ）は前記入力信号（ｘｋ）およびしきい値（Ｔ）に基づく、最大実行フィルタと、
前記スケーリングファクタおよび前記フィルタ長さに基づいて利得補正（Ｆｋ）を生成するように構成されたウィンドウＣＦＲ利得フィルタと、
遅延入力信号を生成するために前記入力信号（ｘｋ）を遅延させるように構成されたディレイと、
ピーク補正値を取得するために前記利得補正（Ｆｋ）と前記遅延入力信号とを乗算するように構成された乗算器と、
前記ピーク補正値および前記遅延入力信号に基づいて出力信号（ｙｋ）を決定するように構成された加算器と、
を備え、
前記ピーク検出器、前記最大実行フィルタ、前記ウィンドウＣＦＲ利得フィルタ、前記ディレイ、前記乗算器、前記加算器が、少なくとも１つの集積回路において実装される、システム。
【請求項２】
前記最大実行フィルタは、前記フィルタ長さにわたって前記ウィンドウ利得（Ｇｋ）の最大利得を決定することにより、前記スケーリングファクタを生成するように構成される、請求項１に記載のシステム。
【請求項３】
前記ウィンドウＣＦＲ利得フィルタは、ハニングウィンドウフィルタを含む、請求項１に記載のシステム。
【請求項４】
前記ウィンドウＣＦＲ利得フィルタは、ブラックマンウィンドウフィルタを含む、請求項１に記載のシステム。
【請求項５】
前記フィルタ長さはＮサンプルに対応し、Ｎは整数である、請求項１に記載のシステム。
【請求項６】
前記ウィンドウＣＦＲ利得フィルタはＮ／２を中心とする、請求項５に記載のシステム。
【請求項７】
前記利得補正（Ｆｋ）は連続関数を含む、請求項１に記載のシステム。
【請求項８】
前記ウィンドウ利得（Ｇｋ）を提供するためのピークスケーリングユニットをさらに備える、請求項１に記載のシステム。
【請求項９】
前記少なくとも１つの集積回路は、少なくとも１つのフィールドプログラマブルゲートアレイ（ＦＰＧＡ）を含む、請求項１に記載のシステム。
【請求項１０】
前記ピーク検出器は、
前記入力信号（ｘｋ）に関する多項式フィットを決定するように、
ピーク位置を決定するように、および、
前記多項式フィットから前記ピーク位置での信号のマグニチュードを決定するように、
構成される、請求項１に記載のシステム。
【請求項１１】
波高率低減（ＣＦＲ）のための方法であって、
ピーク検出器によって入力信号（ｘｋ）を受信すること、
最大実行フィルタを使用し、ウィンドウ利得（Ｇｋ）およびフィルタ長さに基づいてスケーリングファクタを生成することであって、前記ウィンドウ利得（Ｇｋ）は前記入力信号（ｘｋ）およびしきい値（Ｔ）に基づく、生成すること、
ウィンドウＣＦＲ利得フィルタを使用し、前記スケーリングファクタおよび前記フィルタ長さに基づいて利得補正（Ｆｋ）を生成すること、
遅延入力信号を取得するために、ディレイによって前記入力信号（ｘｋ）を遅延させること、
乗算器を使用し、ピーク補正値を取得するために前記利得補正（Ｆｋ）と前記遅延入力信号とを乗算すること、ならびに、
出力信号（ｙｋ）を取得するために前記ピーク補正値を前記遅延入力信号に加算すること、
を含み、
前記ピーク検出器、前記最大実行フィルタ、前記ウィンドウＣＦＲ利得フィルタ、前記ディレイ、前記乗算器、またはそれらの任意の組み合わせは、少なくとも１つの集積回路において実装される、方法。
【請求項１２】
前記スケーリングファクタを生成する行為は、前記フィルタ長さにわたって前記ウィンドウ利得（Ｇｋ）の最大利得を決定することを含む、請求項１１に記載の方法。
【請求項１３】
前記ウィンドウＣＦＲ利得フィルタは、ハニングウィンドウフィルタまたはブラックマンウィンドウフィルタを含む、請求項１１に記載の方法。
【請求項１４】
前記フィルタ長さはＮサンプルに対応し、Ｎは整数である、請求項１１に記載の方法。
【請求項１５】
前記ウィンドウＣＦＲ利得フィルタはＮ／２を中心とする、請求項１４に記載の方法。
【請求項１６】
前記利得補正（Ｆｋ）は連続関数を含む、請求項１１に記載の方法。
【請求項１７】
ピークスケーリングユニットを使用し、前記入力信号（ｘｋ）および前記しきい値（Ｔ）に基づいて前記ウィンドウ利得（Ｇｋ）を決定することをさらに含む、請求項１１に記載の方法。
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
受信した信号における干渉を推定する方法であって、
受信アンテナ回路により、遠隔トランスミッタ回路から複数のサブキャリアを受信すること、
複数の差動信号を生成するため、前記サブキャリアの少なくとも２つを比較すること、
複数の積を生成するため、各差動信号をそのエルミート転置で乗じること、
共分散マトリックスにおける積の和を生成するため、前記複数の積を加算すること、
前記共分散マトリックスに応答して、前記干渉を推定すること、及び
前記推定に応答して前記干渉を抑制すること、
を含む、方法。
【請求項２】
請求項１に記載の方法であって、前記少なくとも２つのサブキャリアが隣接する、方法。
【請求項３】
請求項１に記載の方法であって、前記複数のサブキャリアを制御信号で乗じることを含む、方法。
【請求項４】
請求項３に記載の方法であって、前記制御信号がパイロット信号である、方法。
【請求項５】
請求項３に記載の方法であって、前記制御信号が復調参照信号である、方法。
【請求項６】
請求項１に記載の方法であって、前記共分散マトリックスに応答して、前記受信した信号を等化することを含む、方法。
【請求項７】
干渉抑制回路であって、
複数のサブキャリアを含むデータストリームを受信するように、及び少なくとも一つの制御信号を抽出するように配される入力回路、
前記少なくとも一つの制御信号に応答してチャネル推定を計算するように配される推定回路、
差動信号を生成するため、前記サブキャリアの少なくとも２つを比較するように配される差動回路、
前記差動信号に応答して共分散マトリックスを計算するように配されるマトリックス回路、
前記共分散マトリックス及び前記チャネル推定に応答して、干渉抑制重みを計算するように配される重み計算回路、及び
前記干渉抑制重みに応答して、前記受信したデータストリームにおける干渉を抑制するように配されるイコライザ回路、
を含む、回路。
【請求項８】
請求項７に記載の回路であって、前記少なくとも一つの制御信号がパイロット信号である、回路。
【請求項９】
請求項７に記載の回路であって、前記少なくとも一つの制御信号が復調参照信号である、回路。
【請求項１０】
請求項７に記載の回路であって、前記複数のサブキャリアの各々をそれぞれの制御信号で乗ずるように配される乗算回路を含む、回路。
【請求項１１】
ワイヤレスレシーバ回路において干渉を抑制する方法であって、
遠隔トランスミッタから複数のサブキャリアを含むデータストリームを受信すること、
抽出回路を用いて前記データストリームから複数の制御信号を抽出すること、
複数の積を生成するため、前記複数のサブキャリアの各々をそれぞれの制御信号で乗じること、
複数の差動信号を生成するため、前記積の少なくとも２つを比較すること、
前記複数の差動信号に応答して共分散マトリックスにおける積の和を生成すること、
前記共分散マトリックスに応答してイコライザ重みを計算すること、及び
前記イコライザ重みに応答して前記干渉を抑制すること、
を含む、方法。
【請求項１２】
請求項１１に記載の方法であって、前記複数のサブキャリアの少なくとも２つのサブキャリアが隣接する、方法。
【請求項１３】
請求項１１に記載の方法であって、前記制御信号が、パイロット信号及び復調参照信号の一方である、方法。
【請求項１４】
請求項１１に記載の方法であって、前記共分散マトリックスに応答して、前記データストリームを等化することを含む、方法。
【請求項１５】
請求項１１に記載の方法であって、
前記複数の制御信号に応答してチャネルを推定すること、及び
前記チャネル推定及び前記共分散マトリックスに応答することによって、前記データストリームを等化すること、
を含む、方法。
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
ＣＭＵＴトランスデューサアレイを形成するように並べて位置合わせされた複数のＣＭＵＴタイルであって、前記ＣＭＵＴタイルが、
基板と、
前記基板上に配置され、１つ以上の行、列、又はその両方に配置された複数のＣＭＵＴセルと、
を含む、前記複数のＣＭＵＴタイルと、
１つ以上のＣＭＵＴセルが、当接するＣＭＵＴタイルの１つ以上のＣＭＵＴセルと一定のピッチで配置されるように、端部に隣接する前記１つ以上のＣＭＵＴセルと側方に近接して前記ＣＭＵＴタイルの１つの側面に形成される前記端部と、
を含む、ＣＭＵＴトランスデューサアレイにおいて、
前記端部は、当該端部に隣接する前記１つ以上のＣＭＵＴセルと側方に近接して前記基板中をエッチングするエッチングプロセスによって形成され、前記エッチングプロセスは、エッチングされたトレンチの側面をポリマーで補強することによって行われることを特徴とする、ＣＭＵＴトランスデューサアレイ。
【請求項２】
前記端部は、複数のＣＭＵＴセルと側方に近接する非線形のエッチングされた端部である、請求項１に記載のＣＭＵＴトランスデューサアレイ。
【請求項３】
前記端部は、異方性エッチングプロセスによってエッチングされる、請求項１に記載のＣＭＵＴトランスデューサアレイ。
【請求項４】
前記異方性エッチングプロセスは、深掘り反応性イオンエッチングプロセスを更に含む、請求項３に記載のＣＭＵＴトランスデューサアレイ。
【請求項５】
第１のＣＭＵＴタイルの非線形端部が、第２のＣＭＵＴタイルの２つの端部の一方に隣接して、前記第１のＣＭＵＴタイルから前記第２のＣＭＵＴタイルへの一定のＣＭＵＴセルピッチを維持しながら配置可能であるような対称性を前記ＣＭＵＴタイルが示す、請求項２に記載のＣＭＵＴトランスデューサアレイ。
【請求項６】
前記ＣＭＵＴタイルは、前記端部に沿って前記基板上に配置され、前記ＣＭＵＴタイルの前記ＣＭＵＴセルに電気結合された複数の相互接続電極を更に含む、請求項１に記載のＣＭＵＴトランスデューサアレイ。
【請求項７】
第１のＣＭＵＴタイルのエッチングされた端部が、第２のＣＭＵＴタイルのエッチングされた端部に隣接して、前記第１のＣＭＵＴタイルから前記第２のＣＭＵＴタイルへの一定のＣＭＵＴセルピッチを維持しながら配置可能であるような対称性を前記ＣＭＵＴタイルが示し、
前記第１及び第２のＣＭＵＴタイルはそれぞれ、前記端部に沿って配置された複数の相互接続電極を有し、並びに
前記相互接続電極の端部は、各ＣＭＵＴタイルの、隣接して配置された前記エッチングされた端部に対して反対側にある、請求項６に記載のＣＭＵＴトランスデューサアレイ。
【請求項８】
前記非線形のエッチングされた端部は、一連の線形の異なる方向の端部セグメントを含む、請求項２に記載のＣＭＵＴトランスデューサアレイ。
【請求項９】
前記非線形のエッチングされた端部は、連続した輪郭のエッチングされた端部を含む、請求項２に記載のＣＭＵＴトランスデューサアレイ。
【請求項１０】
前記端部は、前記基板の最上部及び底部から交互にエッチングを行うことによって形成される、請求項１に記載のＣＭＵＴトランスデューサアレイ。
【請求項１１】
前記ポリマーは、ポリイミド又はＢＣＢを更に含む、請求項１０に記載のＣＭＵＴトランスデューサアレイ。
【請求項１２】
前記端部は、前記基板の最上部からのエッチング及び前記基板の底部からの研削を交互に行うことによって形成される、請求項１に記載のＣＭＵＴトランスデューサアレイ。
【請求項１３】
前記ＣＭＵＴセルは、動作のつぶれモードで動作させられる、請求項１に記載のＣＭＵＴトランスデューサアレイ。
【請求項１４】
基板と、前記基板上に配置され、１つ以上の行、列、又はその両方に配置された複数のＣＭＵＴセルと、を含むタイルを設けるステップと、
１つ以上のＣＭＵＴセルが、当接するタイルの１つ以上のＣＭＵＴセルと一定のピッチで配置されるように、端部に隣接する前記１つ以上のＣＭＵＴセルと側方に近接して前記タイルの１つの側面に前記端部を形成するステップと、
を含む、ＣＭＵＴトランスデューサアレイを製造する方法において、
前記端部は、前記基板中をエッチングするエッチングプロセスによって形成され、前記エッチングプロセスは、エッチングされたトレンチの側面をポリマーで補強することによって行われることを特徴とする、方法。
【請求項１５】
請求項１乃至１３に記載のＣＭＵＴトランスデューサアレイを含むプローブを備えた、超音波イメージングシステム。
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
ワイヤレス通信に関する方法であって、
共有無線周波数スペクトル帯域内の複数のサブ−チャネルを識別すること、
を備え、
前記複数のサブ−チャネルのうちのサブ−チャネルの第１のサブセットを決定することと、
サブ−チャネルの前記第１のサブセットに関連付けられた帯域幅に少なくとも部分的に基づいてキャリアのスケーラブルな帯域幅を決定することと、
前記共有無線周波数スペクトル帯域内のサブ−チャネルの前記第１のサブセットに関連付けられた前記帯域幅を使用する前記キャリアの前記スケーラブルな帯域幅を介して通信することと
を備えることによって特徴付けられる、方法。
【請求項２】
楽観的ＣＣＡしきい値に少なくとも部分的に基づいて、前記複数のサブ−チャネル上で第１のクリア  チャネル  アセスメント（ＣＣＡ）を実行することと、
前記第１のＣＣＡに少なくとも部分的に基づいて、複数の潜在的サブ−チャネルを決定することと、前記複数の潜在的サブ−チャネルが、前記複数のサブ−チャネルの少なくとも第２のサブセットを備える、
をさらに備える、請求項１に記載の方法。
【請求項３】
再分配ＣＣＡしきい値に少なくとも部分的に基づいて、前記複数の潜在的サブ−チャネル上で第２のＣＣＡを実行することと、
前記第２のＣＣＡに少なくとも部分的に基づいて、複数のクリア  サブ−チャネルを決定することと、ここにおいて、前記キャリアが前記複数のクリア  サブ−チャネルを備える、
をさらに備える、請求項２に記載の方法。
【請求項４】
前記楽観的ＣＣＡしきい値が、前記複数のサブ−チャネルを介した送信に関する電力制約に少なくとも部分的に基づく、請求項２に記載の方法。
【請求項５】
前記再分配ＣＣＡしきい値が、前記複数のサブ−チャネルの前記少なくとも第２のサブセットを介した送信に関する電力制約に少なくとも部分的に基づく、請求項３に記載の方法。
【請求項６】
前記第２のＣＣＡが、前記複数の潜在的サブ−チャネルに関するＣＣＡカウントダウン  スロットを備え、およびここにおいて、前記複数のクリア  サブ−チャネルを介した通信は、前記ＣＣＡカウントダウン  スロットが超えられるまで遅延される、請求項３に記載の方法。
【請求項７】
前記第２のＣＣＡは、前記複数の潜在的サブ−チャネルにわたるエネルギーの合計を測定する、単一のジョイントＣＣＡである、請求項３に記載の方法。
【請求項８】
前記複数のサブ−チャネルの前記第１のサブセットのリソースは、１つの論理グループとしてアドレス指定される、請求項１に記載の方法。
【請求項９】
前記複数のサブ−チャネルの前記第１のサブセットは、第１のサブ−チャネルおよび少なくとも１つの第２のサブ−チャネルを備え、前記第１のサブ−チャネルが、前記少なくとも１つの第２のサブ−チャネルに隣接していない、請求項８に記載の方法。
【請求項１０】
前記リソースが複数のリソースブロック（ＲＢ）を備える、請求項８に記載の方法。
【請求項１１】
前記複数のＲＢが、少なくとも１つの拡張物理ダウンリンク制御チャネル（ｅＰＤＣＣＨ）を使用して割り当てられ、前記少なくとも１つのｅＰＤＣＣＨが、前記複数のサブ−チャネルの前記第１のサブセットにわたって複数のＲＢを割り当てる、請求項１０に記載の方法。
【請求項１２】
前記複数のＲＢが、前記複数のサブ−チャネルの前記第１のサブセットにわたって連続している、請求項１０に記載の方法。
【請求項１３】
前記複数のサブ−チャネルの前記第１のサブセットは、第１のサブ−チャネルおよび少なくとも１つの第２のサブ−チャネルを備え、前記第１のサブ−チャネルは、前記少なくとも１つの第２のサブ−チャネルに隣接していない、請求項１２に記載の方法。
【請求項１４】
ワイヤレス通信に関する装置であって、
共有無線周波数スペクトル帯域内の複数のサブ−チャネルを識別するための手段、
を備え、
前記複数のサブ−チャネルのうちのサブ−チャネルの第１のサブセットを決定するための手段と、
サブ−チャネルの前記第１のサブセットに関連付けられた帯域幅に少なくとも部分的に基づいてキャリアのスケーラブルな帯域幅を決定するための手段と、
前記共有無線周波数スペクトル帯域内のサブ−チャネルの前記第１のサブセットに関連付けられた前記帯域幅を使用する前記キャリアの前記スケーラブルな帯域幅を介して通信するための手段と
を備えることによって特徴付けられる、装置。
【請求項１５】
ワイヤレス通信に関するコンピュータ実行可能コードを記憶する非一時的コンピュータ可読媒体であって、前記コードは、
共有無線周波数スペクトル帯域内の複数のサブ−チャネルを識別すること、
を行うためにプロセッサによって実行可能であり、
前記複数のサブ−チャネルのうちのサブ−チャネルの第１のサブセットを決定することと、
サブ−チャネルの前記第１のサブセットに関連付けられた帯域幅に少なくとも部分的に基づいてキャリアのスケーラブルな帯域幅を決定することと、
前記共有無線周波数スペクトル帯域内のサブ−チャネルの前記第１のサブセットに関連付けられた前記帯域幅を使用する前記キャリアの前記スケーラブルな帯域幅を介して通信することと
を行うためにプロセッサによって実行可能であることによって特徴付けられる、非一時的コンピュータ可読媒体。
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
方法であって、
メッセージング・サーバーによって、第１デバイスから元のメッセージを受信するステップと、
前記メッセージング・サーバーによって、前記元のメッセージをメッセージ・データベースに格納するステップと、
前記メッセージング・サーバーによって、新たなデータの要求を第２デバイスから受信するステップと、
前記メッセージング・サーバーによって、前記元のメッセージを前記メッセージ・データベースから前記第２デバイスへ送信するステップであって、前記第２デバイスは、前記元のメッセージを表示し、前記第２デバイスは、前記元のメッセージをキャッシュに格納する、ステップと、
前記メッセージング・サーバーによって、編集されたメッセージを受信するステップと、
前記メッセージング・サーバーによって、前記編集されたメッセージを前記メッセージ・データベースに格納するステップと、
前記メッセージング・サーバーによって、前記元のメッセージを前記キャッシュから削除する命令を前記第２デバイスへ送信するステップであって、前記第２デバイスは、前記元のメッセージを前記キャッシュから削除する、ステップと、
前記メッセージング・サーバーによって、前記編集されたメッセージを前記メッセージ・データベースから前記第２デバイスへ送信するステップであって、前記第２デバイスは、前記編集されたメッセージを表示し、前記第２デバイスは、前記編集されたメッセージを前記キャッシュに格納する、ステップと、
を含む方法。
【請求項２】
前記メッセージング・サーバーによって、入手可能なメッセージを前記第２デバイスが有するという通知を前記第１デバイスへ送信するステップを更に含む、請求項１に記載の方法。
【請求項３】
前記メッセージング・サーバーによって、前回のフェッチ時点以降の前記第２デバイスに関する全ての新たなデータを前記第２デバイスへ送信するステップを更に含む、請求項１に記載の方法。
【請求項４】
前記メッセージ・サーバーは、前記編集されたメッセージを第３デバイスから受信する、請求項１に記載の方法。
【請求項５】
前記メッセージング・サーバーによって、前記元のメッセージを無効とするステップを更に含む、請求項１に記載の方法。
【請求項６】
前記メッセージング・サーバーによって、前記第２デバイスへ送信された元のファイルを削除するステップ、および、前記メッセージング・サーバーによって、前記第２デバイスへ編集されたファイルを送信するステップを更に含む、請求項１に記載の方法。
【請求項７】
システムであって、
プロセッサーと、
前記プロセッサーと通信するように構成され、命令が格納されている実体的な非一時的なメモリと、
を備え、前記命令は、前記プロセッサーによる実行に応答して、前記システムに、
前記プロセッサーによって、第１デバイスから元のメッセージを受信するステップと、
前記プロセッサーによって、前記元のメッセージをメッセージ・データベースに格納するステップと、
前記プロセッサーによって、新たなデータの要求を第２デバイスから受信するステップと、
前記プロセッサーによって、前記元のメッセージを前記メッセージ・データベースから前記第２デバイスへ送信するステップであって、前記第２デバイスは、前記元のメッセージを表示し、前記第２デバイスは、前記元のメッセージをキャッシュに格納する、ステップと、
前記プロセッサーによって、編集されたメッセージを受信するステップと、
前記プロセッサーによって、前記元のメッセージを前記キャッシュから削除する命令を前記第２デバイスへ送信するステップであって、前記第２デバイスは、前記元のメッセージを前記キャッシュから削除する、ステップと、
前記プロセッサーによって、前記編集されたメッセージを前記第２デバイスへ送信するステップであって、前記第２デバイスは、前記編集されたメッセージを表示し、前記第２デバイスは、前記編集されたメッセージを前記キャッシュに格納する、ステップと、
を含む動作を行わせる、システム。
【請求項８】
前記動作は、前記プロセッサーによって、前記第２デバイスが入手可能なメッセージを有するという通知を前記第１デバイスへ送信するステップを更に含む、請求項７に記載のシステム。
【請求項９】
前記動作は、前記プロセッサーによって、前回のフェッチ時点以降の前記第２デバイスに関する全ての新たなデータを前記第２デバイスへ送信するステップを更に含む、請求項７に記載のシステム。
【請求項１０】
前記プロセッサーは、前記編集されたメッセージを第３デバイスから受信する、請求項７に記載のシステム。
【請求項１１】
前記動作は、前記プロセッサーによって、前記元のメッセージを無効とするステップを更に含む、請求項７に記載のシステム。
【請求項１２】
前記動作は、前記プロセッサーによって、前記第２デバイスへ送信された元のファイルを削除するステップ、および、前記プロセッサーによって、前記第２デバイスへ編集されたファイルを送信するステップを更に含む、請求項７に記載のシステム。
【請求項１３】
命令が格納されている非一時的な実体的なコンピューター読み取り可能記憶媒体を含む製品であって、前記命令は、コンピューターによる実行に応答して、前記コンピューターに、
前記コンピューターによって、第１デバイスから元のメッセージを受信するステップと、
前記コンピューターによって、前記元のメッセージをメッセージ・データベースに格納するステップと、
前記コンピューターによって、新たなデータの要求を第２デバイスから受信するステップと、
前記コンピューターによって、前記元のメッセージを前記メッセージ・データベースから前記第２デバイスへ送信するステップと、
前記コンピューターによって、編集されたメッセージを受信するステップと、
前記コンピューターによって、前記元のメッセージを前記キャッシュから削除する命令を前記第２デバイスへ送信するステップであって、前記第２デバイスは、前記元のメッセージを前記キャッシュから削除する、ステップと、
前記コンピューターによって、前記編集されたメッセージを前記第２デバイスへ送信するステップであって、前記第２デバイスは、前記編集されたメッセージを表示し、前記第２デバイスは、前記編集されたメッセージを前記キャッシュに格納する、ステップと、
を含む動作を行わせる、製品。
【請求項１４】
前記動作は、前記コンピューターによって、前記第２デバイスが入手可能なメッセージを有するという通知を前記第１デバイスへ送信するステップを更に含む、請求項１３に記載の製品。
【請求項１５】
前記動作は、前記コンピューターによって、前回のフェッチ時点以降の前記第２デバイスに関する全ての新たなデータを前記第２デバイスへ送信するステップを更に含む、請求項１３に記載の製品。
【請求項１６】
前記コンピューターは、前記編集されたメッセージを第３デバイスから受信する、請求項１３に記載の製品。
【請求項１７】
前記動作は、前記コンピューターによって、前記元のメッセージを無効とするステップを更に含む、請求項１３に記載の製品。
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ベース変調レイヤ上で第１の送信期間中にマルチキャストブロードキャスト単一周波数ネットワーク（ＭＢＳＦＮ）送信を送信することと、
エンハンスメント変調レイヤ上で前記第１の送信期間中にユニキャスト送信を送信することと、前記エンハンスメント変調レイヤは、前記ベース変調レイヤ上に重畳される、
前記ユニキャスト送信中に送信される情報を復号する際に使用する基準信号を、前記第１の送信期間中に、送信することと
を備える、方法。
【請求項２】
前記基準信号が、前記エンハンスメント変調レイヤ上で送信されるユーザ機器固有基準信号（ＵＥ−ＲＳ）であり、前記方法は、
前記ベース変調レイヤ上でＭＢＳＦＮ基準信号（ＭＢＳＦＮ−ＲＳ）を、前記ＵＥ−ＲＳを送信すると同時に、送信することをさらに備える、請求項１に記載の方法。
【請求項３】
前記基準信号が、前記ベース変調レイヤの１つまたは複数のデータリソース要素をパンクチャする、請求項１に記載の方法。
【請求項４】
前記ユニキャスト送信と前記ＭＢＳＦＮ送信との両方が、拡張サイクリックプレフィックスを使用して送信される、請求項１に記載の方法。
【請求項５】
前記基準信号が、専用基準信号送信リソース中で送信される、請求項１に記載の方法。
【請求項６】
前記基準信号が、物理ダウンリンク制御チャネル（ＰＤＣＣＨ）と共有される基準信号送信リソース中で送信される、請求項１に記載の方法。
【請求項７】
前記ユニキャスト送信が、前記第１の送信期間中に送信されるコードブロックのセットを使用して送信され、コードブロックの前記セットの各コードブロックのためのデータレートが、前記第１の送信期間内の送信時間に少なくとも部分的に基づいて決定される、請求項１に記載の方法。
【請求項８】
前記コードブロックのうちの１つまたは複数のためのデータレートが、前記コードブロックと前記基準信号との間の持続時間の関数である、請求項７に記載の方法。
【請求項９】
コードブロックの前記セットのためのデータレートを示す制御情報を送信すること
をさらに備える、請求項８に記載の方法。
【請求項１０】
前記第１の送信期間の外部で前記ベース変調レイヤ上で１つまたは複数の他のユニキャスト送信を送信すること、ここにおいて、前記１つまたは複数の他のユニキャスト送信の１つまたは複数の送信パラメータが、前記他のユニキャスト送信の送信リソースに関連する第１のチャネル状態情報（ＣＳＩ）報告に少なくとも部分的に基づき、
ここにおいて、前記ユニキャスト送信の１つまたは複数の送信パラメータが、前記エンハンスメント変調レイヤの送信リソースに関連する第２のＣＳＩ報告に少なくとも部分的に基づく、
をさらに備える、請求項１に記載の方法。
【請求項１１】
前記エンハンスメント変調レイヤのためのチャネル推定が、共通基準信号（ＣＲＳ）に少なくとも部分的に基づいて決定され、前記エンハンスメント変調レイヤのための雑音推定が、ＭＢＳＦＮ基準信号に少なくとも部分的に基づいて決定される、請求項１０に記載の方法。
【請求項１２】
ワイヤレス通信のための方法であって、
ベース変調レイヤ上で第１の受信期間中にマルチキャストブロードキャスト単一周波数ネットワーク（ＭＢＳＦＮ）送信と、エンハンスメント変調レイヤ上で前記第１の受信期間中にユニキャスト送信とを受信することと、前記エンハンスメント変調レイヤは、前記ベース変調レイヤ上に重畳される
前記ユニキャスト送信中で送信される情報を復号する際に使用する基準信号を、前記第１の受信期間中に、受信することと、
前記基準信号を使用して前記ユニキャスト送信中で送信される情報を復号することと
を備える、方法。
【請求項１３】
ワイヤレス通信のための装置であって、
ベース変調レイヤ上で第１の送信期間中にマルチキャストブロードキャスト単一周波数ネットワーク（ＭＢＳＦＮ）送信を送信するための手段と、
エンハンスメント変調レイヤ上で前記第１の送信期間中にユニキャスト送信を送信するための手段と、前記エンハンスメント変調レイヤは、前記ベース変調レイヤ上に重畳される、
前記ユニキャスト送信中に送信される情報を復号する際に使用する基準信号を、前記第１の送信期間中に、送信するための手段と、
を備える、装置。
【請求項１４】
ワイヤレス通信のための装置であって、
ベース変調レイヤ上で第１の受信期間中にマルチキャストブロードキャスト単一周波数ネットワーク（ＭＢＳＦＮ）送信と、エンハンスメント変調レイヤ上で前記第１の受信期間中にユニキャスト送信とを受信するための手段と、前記エンハンスメント変調レイヤは、前記ベース変調レイヤ上に重畳される、
前記ユニキャスト送信中で送信される情報を復号する際に使用する基準信号を、前記第１の受信期間中に、受信するための手段と、
前記基準信号を使用して前記ユニキャスト送信中で送信される情報を復号するための手段と
を備える、装置。
【請求項１５】
先行する請求項１から１２のうちのいずれかに記載の方法を実現するための命令を備えるコンピュータプログラム。
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
マウントの上面に取り付けられた半導体発光ダイオード（ＬＥＤ）と、
前記ＬＥＤに隣接する前記マウントの前記上面に配置されたマルチ層リフレクタであり、低屈折率材料と高屈折率材料が交互に重なった層のペアを含む、前記マルチ層リフレクタと、
前記ＬＥＤと前記マルチ層リフレクタの上に配置されたレンズと、
前記マルチ層リフレクタと前記レンズとの間に配置された層であり、前記レンズの屈折率より低い屈折率を有する、前記層と、を含み、
前記マルチ層リフレクタと直接的に接触している前記上面の部分は、無反射性である、
デバイス。
【請求項２】
前記マルチ層リフレクタと直接的に接触している前記上面の前記部分は、金属である、
請求項１に記載のデバイス。
【請求項３】
前記マルチ層リフレクタと直接的に接触している前記上面の前記部分は、セラミック、プラスチック、および、リードフレームのうちの一つである、
請求項１に記載のデバイス。
【請求項４】
前記マルチ層リフレクタと前記レンズとの間に配置された前記層は、１．３以下の屈折率を有する、
請求項１に記載のデバイス。
【請求項５】
前記マルチ層リフレクタと前記レンズとの間に配置された前記層は、ガラス、フッ化物ガラス、フッ化マグネシウム、多孔性材料、および、多孔性二酸化ケイ素からなるグループから選択される、
請求項１に記載のデバイス。
【請求項６】
前記デバイスは、さらに、
前記レンズの中に配分された波長変換材料、を含む、
請求項１に記載のデバイス。
【請求項７】
前記マルチ層リフレクタは、少なくとも一つのポリマー層を含む、
請求項１に記載のデバイス。
【請求項８】
前記マルチ層リフレクタと前記レンズとの間に配置された前記層は、空気を含む、
請求項１に記載のデバイス。
【請求項９】
マウントの上の第１領域に対して半導体発光ダイオード（ＬＥＤ）を取り付けるステップと、
前記マウントの上の第２領域と直接的に接触しているマルチ層リフレクタを形成するステップであり、前記マルチ層リフレクタは、低屈折率材料と高屈折率材料が交互に重なった層のペアを含み、前記マウントの上の前記第２領域は、無反射性である、ステップと、
前記マルチ層リフレクタとレンズとの間に層を形成するステップであり、前記層は、前記レンズの屈折率より低い屈折率を有する、ステップと、
前記ＬＥＤと前記マルチ層リフレクタの上に前記レンズを配置する、ステップと、
を含む、方法。
【請求項１０】
前記マウントの前記第２領域は、金属を含む、
請求項９に記載の方法。
【請求項１１】
前記マウントの前記第２領域は、セラミック、プラスチック、および、リードフレームのうちの一つを含む、
請求項９に記載の方法。
【請求項１２】
前記マルチ層リフレクタの上で前記マルチ層リフレクタと前記レンズとの間に前記層を形成するステップは、ゾルゲル法によって、多孔性層を形成するステップ、を含む、
請求項９に記載の方法。
【請求項１３】
前記ＬＥＤと前記マルチ層リフレクタと前記レンズとの間の前記層の上に前記レンズを配置するステップは、別個に形成されたレンズを接着するステップ、ラミネートするステップ、および、モールドするステップのうち一つを含む、
請求項９に記載の方法。
【請求項１４】
前記レンズは、波長変換材料を含む、
請求項９に記載の方法。
【請求項１５】
前記マルチ層リフレクタは、少なくとも一つのポリマー層を含む、
請求項９に記載の方法。
【請求項１６】
前記マルチ層リフレクタと前記レンズとの間の前記層は、空気を含む、
請求項９に記載の方法。
【請求項１７】
マウントの上面に取り付けられた半導体発光ダイオード（ＬＥＤ）と、
前記ＬＥＤに隣接する前記マウントの前記上面に配置された層と、
前記ＬＥＤと前記層の上に配置されたレンズと、
を含み、
前記層は、前記レンズの屈折率より低い屈折率を有し、
前記ＬＥＤの上面は、前記レンズと直接的に接触している、
デバイス。
【請求項１８】
前記層は、１．３以下の屈折率を有し、かつ、前記レンズは、少なくとも１．４の屈折率を有する、
請求項１７に記載のデバイス。
【請求項１９】
前記層は、ガラス、フッ化物ガラス、フッ化マグネシウム、多孔性材料、および、多孔性二酸化ケイ素からなるグループから選択される、
請求項１７に記載のデバイス。
【請求項２０】
前記層は、前記マウントと前記レンズの両方と直接的に接触している、
請求項１７に記載のデバイス。
【請求項２１】
前記層と直接的に接触している前記マウントの前記上面の部分は、無反射性である、
請求項１７に記載のデバイス。
【請求項２２】
前記層の上面の高さは、前記ＬＥＤの前記上面の高さより小さい、
請求項１７に記載のデバイス。
【請求項２３】
マウントの上面に配置された金属パッドに取り付けられた半導体発光ダイオード（ＬＥＤ）と、
前記金属パッドに隣接する前記マウントの前記上面と直接的に接触して配置されたマルチ層リフレクタであり、低屈折率材料と高屈折率材料が交互に重なった層のペアを含む、前記マルチ層リフレクタと、
前記ＬＥＤと前記マルチ層リフレクタの上に配置されたレンズと、
を含み、
前記マルチ層リフレクタと直接的に接触している前記マウントの前記上面の部分は、無反射性である、
デバイス。
【請求項２４】
前記マルチ層リフレクタと直接的に接触している前記マウントの前記上面の前記部分は、セラミック、プラスチック、および、リードフレームのうちの一つを含む、
請求項２３に記載のデバイス。
【請求項２５】
前記デバイスは、さらに、
前記ＬＥＤと前記マルチ層リフレクタの上に配置されたカバーを含む、
請求項２３に記載のデバイス。
【請求項２６】
前記デバイスは、さらに、
前記カバーの中に配分された波長変換材料を含む、
請求項２５に記載のデバイス。
【請求項２７】
前記マルチ層リフレクタは、少なくとも一つのポリマー層を含む、
請求項２３に記載のデバイス。